(57)【特許請求の範囲】
【請求項１】
本体の底部に下縁部で蝶番式に連結された蓋(１，２)を相互に対峙する側の少なくとも１つの側に有する本体（３）を含むバッグであって、前記蓋（１，２）が、実質的剛性であり、かつ開放されるときにバッグを下支持面（５５）により支持する領域から所定距離をおいて下支持面（５５）に接するように形成された外方へ膨張した弓状外面を有するバッグにおいて、前記蓋は下支持面と接触するときに前記蓋のリムにより距離をおいた平面が下支持面と５°を越える角度を形成し、かつ前記バッグは前記蓋が前記本体に対して開放する最大角度を下支持面に接する値までに制限するための開放制限手段（１２）を含み、
前記開放制限手段（１２）は前記蓋の側縁部および前記本体の側縁部に連結されてその間にポケットを形成する蛇腹を含み、それにより前記蓋の開放時に前記ポケット内に収容された品物の落下を制限することを特徴とする、バッグ。
【請求項２】
前記蛇腹は前記本体と前記蓋間に可撓性壁構造体を含み、前記蓋（１，２）は開放位置において水平支持面上起立した前記本体に対して前記可撓性壁構造体と共に下方へ傾斜し、前記可撓性壁構造体は下方および内方へ傾斜する壁を有するポケットを形成することを特徴とする、請求項１によるバッグ。
【請求項３】
前記可撓性壁構造体は、前記蓋の蝶番式連結部（３９）の領域から前記本体へ前記蓋および前記本体のそれぞれの高さの少なくとも１／３まで延在するプリーツ付き蛇腹（concertina-like)構造の形態であることを特徴とする、請求項２によるバッグ。
【請求項４】
前記本体の上部は開口部（３０，３１）を含み、前記バッグの内部は前記蓋（１，２）が前記本体（３）に対して閉鎖したときに前記開口部からアクセスできることを特徴とする、請求項１から３のいずれか１によるバッグ。
【請求項５】
前記バッグは前記開口部（３０，３）を覆う機能を有するフラップ（２１）を含み、かつ前記フラップ（２１）は前記バッグへ蝶番留めされていることを特徴とする、請求項４によるバッグ。
【請求項６】
前記蓋（１，２）の縁部は、前記蝶番式連結部（３９）の端部（４１）から前記本体へ前記蓋のリムに沿って前記バッグの縁部の上長手中間領域まで延在する連動ジップファスナ（４）により、前記本体（３）へ連結自在であることを特徴とする、請求項１〜５のいずれか１によるバッグ。
【請求項７】
前記ジップファスナは前記開口部（３０，３１）の対応端縁部で終端していることを特徴とする、請求項４から６のいずれか１によるバッグ。
【請求項８】
前記蓋（１，２）の自由縁部は前記開口部（３０，３１）の一部を形成する切欠き（５１，５２）を含むことを特徴とする、請求項４〜７のいずれか１によるバッグ。
【請求項９】
前記本体（３）は２つの相互に対峙する側の各々に蓋（１，２）を有することを特徴とする、請求項１〜８のいずれか１によるバッグ。
【請求項１０】
前記本体（３）は底板(３７)、上板（３８）、および前記底板と前記上板とを相互に連結する２つの台形側壁（３６）を含み、かつ前記蓋の閉鎖時に前記蓋（１，２）のリムと係合する壁板（１６）が前記台形側壁（３６）の側縁部に形成されていることを特徴とする、請求項９によるバッグ。
【発明の詳細な説明】
【０００１】
本発明は請求項１の導入部に記載の種類のバッグに関する。
【０００２】
本発明は、従って、それぞれ両側に設置された２つの蝶番留めされた蓋を有する本体を含むバッグに関する。前記蓋および前記本体の相互に対面する面は種々の道具、消耗品または必需品等のためにポケットかつ／またはファスナを有する。前記バッグは、例えば、おしゃぶり、哺乳瓶、ナプキン、おしめ、スキンケア用品等の幼児ケアに関するアクセサリ用として有益に使用できる。
【０００３】
前記バッグ本体は水平、フラットな支持面上に安定設置でき、かつかかる支持面に概ね垂直に設置できる構成である。前記本体は底面を有し、かつ前記蓋は相互に対峙する縁部に蝶番留めされている。前記蓋は前記本体から開いて前記支持面上に前記本体を起立させた状態で載置できる。
【０００４】
前記バッグは前記本体に対して前記蓋が開放する最大角度を制限する手段を含む。
【０００５】
WO８７／０２２２７はこの特定種類のバッグを教示し、ここでは本体はバッグ内に剛性仕切り壁を有し、かつ開口制限手段がこの仕切り壁の各縁部に連結固定されたコードの形態をとり、かつ蓋は長手中央領域で蓋蝶番軸と平行に延在する。前記コードは２つの蓋を下の支持面上でフラットにさせる長さをもち、仕切り壁はコードが伸張するときに下の支持面上に起立する。
【０００６】
US４，１９４，６２８はケース蓋に向かって開放する貯蔵空間を有する本体を含むケースを教示し、蓋の外側および本体の底面はケースの開放状態において共通面（支持面）内になる。
【０００７】
本発明の課題は、蓋のリムが下支持面に対して少なくとも１０°の角度、好適には１０〜４０°の角度、更に好ましくは、１０〜３０°の角度を形成する面内になるような角度まで２つの蓋の１つが開放するときでさえ、水平の下支持面上に安定起立するバッグを提供することにある。
【０００８】
バッグが本体および２つの蝶番式に連結された蓋を有する場合、本発明は、更に２つの蓋が本体に対して閉鎖されるときにバッグ内の貯蔵空間に快適にアクセスできるようにすることを課題とする。
【０００９】
前記課題は請求項１によるバッグにより達成される。バッグの他の改良は従属請求項から明らかであろう。
【００１０】
本発明の一実施形態によれば、バッグの本体は相互に対峙する側に少なくとも１つの蓋を有し、前記蓋は実質的剛性でありかつ概ねパネル状に構成され、かつ前記蓋の蝶番軸に垂直の面から見て外方へ湾曲または弓状に膨張した外面を有し、前記蓋が前記バッグに審美的に魅力的なやさしい湾曲外観を付与し、それぞれの前記蓋のリム面の内方に貯蔵空間を形成するように構成されている。
【００１１】
前記蓋の開放制限手段は前記本体の側縁部をそれぞれの前記蓋の側縁部に連結する可撓性プリーツ付き壁の形態をとる。前記弓状に膨張した蓋のリム面が前記バッグの下支持面に対して例えば１０°から７０°の角度を形成するときに、前記蓋はそれぞれの蝶番軸から相当に大きい間隔で前記下支持面に対して支持されるように構成される。前記蓋制限手段は前記蓋が前記本体から開放できる角度を形成しかつその角度で前記蓋が前記下支持面に接するように構成されてよい。前記蓋は、前記下支持面により支持される前記本体の外側で前記下支持面により支持されるので、唯一の蓋が下支持面に対して斜角で開放され重い荷重を担持する場合にバッグが倒れる危険を低減する。
【００１２】
前記本体は各コーナーに支持脚を有する概ね矩形の底面を含む。前記本体は概ね管状体であり、その断面はバッグの底板に概ね垂直のパネルにより実質的に仕切られかつ前記本体の概ね管状部を安定させる作用をすることが好ましい。前記底板に加えて、前記本体の管状部は狭い上板および前記上板を連結する壁を含み、前記上板連結壁は好適には台形であり、前記本体の管状部が本体対称面に向かって上方および内方に傾斜する端面を有する形態になっている。
【００１３】
このようにして、前記蓋のリム面は前記蓋が閉鎖したときにバッグの前記底板上に位置して、前記蓋の重心および重力が前記底板の方向で好適には前記下支持面に対する底板支持面の内方の位置へ向かうようになっている。
【００１４】
本発明のバッグの好適形態において、前記本体の上部は開口部を有し、この開口部は、前記蓋が前記本体に閉鎖されているときに使用者によるバッグ内部へのアクセスを可能にする。このアクセスを可能にする開口部は乳児のおしゃぶり、哺乳瓶等の頻繁に使用する物への使用者による取り出しを可能にする。フラップまたは同様物がバッグ上に、好適には前記蓋の１つの上に適宜蝶番留めされ、前記開口部を覆うように前記開口部上に垂下していてよい。前記フラップの自由端は前記開口部の反対側で前記フラップを取り外し自在に結合するための手段を含んでよい。
【００１５】
前記開口部はバッグの上縁部の選択された部に沿って形成されてよく、かつ前記開口部の相互に対峙する２つの縁部はバッグの蓋のリム部により適宜形成されてよく、かかる縁部およびリム部は、選択的に、前記開口部に目的に適合する幅を付与できる凹部または孔形態であってよい。
【００１６】
前記蓋は、適宜に、前記蝶番式連結部から前記本体の底板へ前記バッグの長手中間面まで、もしくは開口部が設けられる場合にバッグの前記上板を経てその開口部の縁部まで延在するジップファスナの中心を通って前記本体へ連結自在である。本発明のバッグは２つの相互に対峙する、好適には台形のバッグ壁、を連結するショルダストラップを有することが好ましい。
【００１７】
以下に添付図面を参照して実施例として本発明を更に詳細に説明する。
【００１８】
図１から５は下支持面５５上にバッグを支持するためにコーナに取り付けた支持脚１４を有する概ね矩形の底板３７を含む本体３を有するバッグを示す。前記本体は側縁部が２０°の角度で形成された２つの台形壁３６を有する。本体の上部３８は底板３７と反対側の中央に設置された狭い概ね矩形の板で形成されている。上板３８、底板３７および台形壁３６は相互に連結されて、図示例において蓋１，２が閉鎖するときに各蓋のリムが連結される本体開口縁部により距離をおく面内に概ね位置する概ね垂直配向の壁板１６により仕切られた管状体部を形成する。
【００１９】
蓋１，２は底板３７のそれぞれの長手縁部に蝶番留めされている。蓋１，２は蓋の蝶番式連結部３９に対して直角の面から見て弓状に湾曲している。蝶番式連結部３９は可撓性バンド材料により構成される。ジップファスナ４が蝶番式連結部３９の端部４１からバッグの蓋により決定される対称面まで延在し、ジップファスナのガイド体４２は相互に隣接設置される。本体および２つの蓋により形成されるバッグは閉鎖した蓋間の中央面に対して実質的に対称である。
【００２０】
本体の各台形壁３６はアタッチメント９を介してショルダストラップ５を連結するリング８を有する。
【００２１】
本体の各台形壁３６で本体３とそれぞれの蓋１，２との間を連結する好適にはプリーツ構造体１２が設けられる。蓋１，２は弓状であって、各蓋１，２のリムが下支持面５５に対してα角を形成すると同時にプリーツ構造体１２が伸張するときに支持脚１４が当接する下支持面５５に接する（接線を形成する）ようにする。α角は図示例において約２５°であるが１０から４５°の範囲であってよい。
【００２２】
図４から理解されるように、蓋１，２は支持脚１４から相当の間隔をおく点Ｐで下支持面５５により支持される。この関係で、蓋の内面は本体に向けて下方および内方へ、蓋支持点Ｐの外側になる蓋の少なくとも一部に対して傾斜することが意図されている。図４から理解されるように、蓋支持点Ｐと隣接する支持脚１４間の距離は各支持脚間の距離とだいたい同じでありかつ幅広く変化してよい。例えば、その距離は各支持脚間の距離の０．２から２倍の領域であってよい。
【００２３】
壁３６は台形であるので、蓋１，２の重心およびその重力は支持脚１４により形成される支持領域に向かい、それによりバッグは蓋１，２が本体３に対して閉鎖したときであっても安定維持される。
【００２４】
図５を参照すると、貯蔵ポケットが蓋１の内側とパネル１０間に形成されるように、パネル１１は蛇腹構造体１２の中心部間に挿入され、かつ蓋１の高さの一部にわたって延在する平面剛性パネル１０は蓋１のリム面の近傍に延在する。一列の瓶ホルダ１３がパネルの一側で本体の端面の内方に設けられている。上方に開放する貯蔵ポケット１５はパネル１６の上部でパネル１１に対面する側に設けられている。蓋２は内面上に貯蔵ポケット１７を有する。
【００２５】
図６および７から理解されるように、本体の前記上板は長手中間領域で開口部または切断部を有していて、蓋１，２が本体３に対して閉鎖されたときにバッグへアクセスするための開口部３０，３１を形成するようになっている。本体のパネル１６は上縁部に開口部４６を有して開口部３０，３１からのバッグ内部へのアクセスを促進する構成であってよい。図６および７から理解されるように、蓋１，２のリムは開口部３０，３１を広げる作用をする開口部５１，５２を有してよい。図７はジップファスナ４が開口部３０，３１の両側で終端することを示す。理解されるように、フラップまたは同様の装置２１が、適宜には１つの蓋２の上で、バッグへ蝶番留めされる。フラップまたは蓋２１は剛性であり、かつ閉鎖バッグの上部の全体的断面形態に適合する断面形態を有してよい。更に、フラップまたは蓋２１は蝶番２２を中心に軸回転してよい。フラップまたは蓋２１は、フラップ２１の閉鎖位置で蓋１上に留め部２４と係合する対応するプレス式鋲留め具等の締結具２３を有してよい。
【００２６】
本発明によるバッグは、基本的に、おしゃぶり、哺乳瓶および他の頻繁に使用する品物を取り出し取り替えるために容易に運搬できかつ快適に使用できる育児用バッグとしての用途を意図している。本発明のバッグは、また、通常ケースと同様に、蓋を開放するときにバッグ内部への快適なアクセスを可能にすることを意図し、蓋および本体が共に深いポケットを形成してポケットへ向けて落下するかもしれない品物が開放したバッグから外へ落下する危険を最小限にするようにしている。開放した蓋は下支持面５５へ向かって斜め下に拡がる最大拡張位置を有する。蓋が下支持面５５上のバッグ支持領域から相当大きい距離で下支持面５５に対して接線を形成するので、バッグは、１つの蓋がその開放位置のときに、改良された安定性を得る。
【００２７】
本発明は１つの実施形態を参照して説明したが、この実施形態はいくつかの観点で変更できることは理解されるであろう。
【００２８】
例えば、アクセス開口部３０，３１は蓋１，２が開放時に下支持面５５に当接するする角度と関係なく使用できる。更に、幼児ケアと関係しない付属品が使用できることは理解されるであろう。蝶番式連結部３９は底板３７のレベル上に適宜設けられる。即ち、脚１４の支持面上約１〜２cmの高さに取り付けられてよい。
【図面の簡単な説明】
【図１】  本発明により構成されたバッグの側面図である。
【図２】  図１に示されたバッグの端面図である。
【図３】  図１のＡ−Ａ線上の断面図を示す。
【図４】  蓋を開放した図３のバッグを示す。
【図５】  蓋を開放したバッグの斜視図を示す。
【図６】  他の形態のバッグの斜視図である。
【図７】  図６のバッグの説明平面図である。
【図１】
0003923799.tif 000002
【図２】
0003923799.tif 000003
【図３】
0003923799.tif 000004
【図４】
0003923799.tif 000005
【図５】
0003923799.tif 000006
【図６】
0003923799.tif 000007
【図７】
0003923799.tif 000008